(57)【特許請求の範囲】
【請求項１】
昇降補助手段により伸縮調節可能な一対の伸縮脚によってテーブル板受具を介してテーブル板を支持する構成とし、このテーブル板裏面側において前記テーブル板受具端部外側にタオル掛手段を設け、このタオル掛手段は、テーブル板受具端部側をコの字型に囲む形状の格納ケースと、この格納ケースにテーブル板の裏面側からテーブル板端面外方に突出格納可能に保持されたタオル掛部材とで構成し、前記格納ケースは、中央下面側に、伸縮脚の昇降補助手段の解除操作レバーを露出させてテーブル板端面外方から操作可能とするための開口部を設けたことを特徴とするオーバーベッドテーブル装置。
【請求項２】
前記格納ケースは、前記テーブル板受具端部側をコの字型に囲む両端側に、タオル掛部材を突出格納可能に支持するためのスライド支持部と、タオルを掛けるタオル掛部を突出格納する格納部とを一体構成し、前記スライド支持部に、スライド部とタオル掛部の突出量を規制するスライド規制部とを設け、前記格納部中央箇所に、前記昇降補助手段の解除操作レバーを、テーブル板端面外方から操作可能とするための開口部を設けたことを特徴とする請求項１記載のオーバーベッドテーブル装置。
【請求項３】
前記タオル掛部材は、前記格納ケースにおけるスライド支持部を摺動するスライド基部を有し、このスライド基部末端側をスライド支持部におけるスライド規制部のスライド部との境部で係止させて突出量を規制する構成としたことを特徴とする請求項２記載のオーバーベッドテーブル装置。
【発明の詳細な説明】
【０００１】
【発明の属する技術分野】
本発明は、特にベッド使用者の手が届きやすく、格納可能として使いやすいものとしたタオル掛を配設した、オーバーベッドテーブル装置に関するものである。
【０００２】
【従来の技術】
従来より、病院をはじめとして家庭内においても用いられるテーブル装置として、ベッドのボトム上方に跨ぐようにもたらして使う、オーバーベッドテーブルがある。
また、ベッド廻りでは、通常、ベッドサイドキャビネットが配備されるが、かかるベッドサイドキャビネットは、周知のように小物入れとして使われるほか、食事台や、時には、テレビジョンなどを乗せる台として使われることがある。また、側板側にタオル掛などを設けて使うなど、様々な使い方が可能であった。
【０００３】
【発明が解決しようとする課題】
しかしながら、タオル掛に関しては、実際上、ベッドサイドキャビネットに設けられると、ベッドサイドキャビネットにおけるタオル掛では、ベッド上の使用者からは手が届きにくく、使用者は、ベッドから降りてタオル掛からタオルを取るか、介護者などによって取ってもらうなど、大変煩わしかった。
本発明は、このような不便さをなくすために提案されたものであって、ベッド使用者の手が届きやすく、格納可能として使いやすいものとしたタオル掛を配設した、オーバーベッドテーブル装置を提供することを目的とする。
【０００４】
【課題を解決するための手段】
前記した課題を解決するために、本発明では、請求項１において、昇降補助手段により伸縮調節可能な一対の伸縮脚によってテーブル板受具を介してテーブル板を支持する構成とし、前記テーブル板受具端部外側にタオル掛手段を設け、このタオル掛手段は、テーブル板受具端部側をコの字型に囲む形状の格納ケースと、この格納ケースにテーブル板の裏面側からテーブル板端面外方に突出格納可能に保持されたタオル掛部材とで構成し、前記格納ケースは、中央下面側に、伸縮脚の昇降補助手段の解除操作レバーを露出させてテーブル板端面外方から操作可能とするための開口部を設けたオーバーベッドテーブル装置を提案する。
また本発明では、請求項２において、前記格納ケースは、前記テーブル板受具端部側をコの字型に囲む両端側に、タオル掛部材を突出格納可能に支持するためのスライド支持部と、タオルを掛けるタオル掛部を突出格納する格納部とを一体構成し、前記スライド支持部に、スライド部とタオル掛部の突出量を規制するスライド規制部とを設け、前記格納部中央箇所に、前記昇降補助手段の解除操作レバーを、テーブル板端面外方から操作可能とするための開口部を設けたオーバーベッドテーブル装置を提案する。
さらに本発明では、請求項３において、前記タオル掛部材は、前記格納ケースにおけるスライド支持部を摺動するスライド基部を有し、このスライド基部末端側をスライド支持部におけるスライド規制部のスライド部との境部で係止させて突出量を規制する構成としたオーバーベッドテーブル装置を提案する。
【０００５】
請求項１によれば、テーブル板を、ベッド使用者の傍らに寄せておけば、テーブル板端部裏面側に手が届き、タオルを使うときは、テーブル板の裏面側における格納ケースから、タオル掛部材を引っ張り出し、容易にタオルを手にすることができる。
【０００６】
請求項２によれば、テーブル板の高さを調節するとき、テーブル板端面外方から、格納ケースの開口部を介して昇降補助手段の解除操作レバーを操作することができる。
【０００７】
請求項３によれば、タオル掛部を手元に引き出す際、スライド基部末端側をスライド支持部におけるスライド規制部のスライド部との境部で係止させるので、タオル掛部材が脱落することはない。
【０００８】
【発明の実施の形態】
以下、本発明にかかるオーバーベッドテーブル装置につき、ベッド上のマットレス上にもたらして使用するオーバーベッドテーブルの一つの実施の形態を示し、添付の図面に基づいて説明する。
図１、図２にオーバーベッドテーブル１を示す。このオーバーベッドテーブル１は、一対の伸縮脚２，２によってテーブル板受具３を介してテーブル板４を支持する構成としている。
前記一対の伸縮脚２，２は、同期的に昇降させる伸縮同期手段５を具備すると共に、昇降補助手段（図示省略、例えばガススプリング等）をいずれか一方の伸縮脚２に備え、前記テーブル板４を支えるテーブル板受具３に隣接してテーブル板４両端側に設けたタオル掛手段６下面中央から、前記昇降補助手段を拘束解除操作するための解除操作レバー７をそれぞれ露出するように配置している。なお、前記タオル掛手段６は、図中、二点鎖線で示すようにテーブル板４幅方向端部裏面側に設けることもできる。
【０００９】
前記一対の伸縮脚２，２は、第１脚杆８を第２脚杆９に対して昇降ガイドユニット（図示省略）を介して進退可能に構成し、前記第１脚杆８，８基端部には、キャスタＣを介して床面に接地させる基部フレーム１０，１０を装着している。
これら伸縮脚２，２のうちの一方の伸縮脚２における第１脚杆８内に昇降補助手段が内蔵され、前記解除操作レバー７によって昇降補助手段を拘束解除したり拘束状態とすることで、第２脚杆９を昇降させてテーブル板４を所望の高さに調節保持するようにしている。
【００１０】
前記一対の伸縮脚２，２に配置される伸縮同期手段５は、例えば前記第２脚杆９下端側内面に取着した下部プーリ（図示省略）と、第２脚杆９上方のテーブル板受具３内において回動可能に設けた上部プーリ１１，１１と、これら上部プーリ１１，１１および下部プーリ間に掛け渡した線状部材１２とを備え、この線状部材１２を前記第１脚杆８側に固定した構成としている。
【００１１】
前記昇降補助手段は、図示は省略するが、第１脚杆９内に固設したガス封入シリンダを有し、このシリンダにガス圧によって支持されると共に、シリンダから緩衝的に進退可能に突出するピストンロッドを有する。このピストンロッド先端側を前記第２脚杆９頂部に取り付けたテーブル板受具３内側に臨入させると共に固定し、前記先端部からは、ピストンロッドを拘束／拘束解除するための操作軸を突出させている。この操作軸を前記解除操作レバー７によって押し込んだり、開放することにより、ピストンロッドを拘束／拘束解除するようにしている。
【００１２】
前記第１脚杆８は前記第２脚杆９に対し、第２脚杆９下端側内面に嵌入装着したガイドキャップ、および昇降ガイドユニット（図示省略）により、第１脚杆８を所定の間隔をもって第２脚杆９内に突没可能な寸法形状に構成している。
なお、前記昇降ガイドユニットとしては、図示および詳細な説明は省略するが、例えば前記第２脚杆９内面の第１脚杆８との対向面に、筒軸方向に配置した昇降ガイド部と、この昇降ガイド部に多数の転動体を介して移動自在な昇降部とによって構成したものを用いることができる。
【００１３】
そして、前記タオル掛手段６について説明する。
すなわち前記タオル掛手段６は、テーブル板４を支えるテーブル板受具３に隣接して、テーブル板４長手方向両端側に設けたもので、前記テーブル板４端部裏面側に装着した格納ケース１３と、この格納ケース１３にテーブル板４の端部側から突出格納可能に保持されたタオル掛部材１４とで構成している（図１、図２参照）。
【００１４】
前記格納ケース１３は、既知の合成樹脂の一体成形体で構成したもので、テーブル板４幅寸法に対応して寸法設定がなされ、前記タオル掛部材１４を突出格納可能に支持するための一対のスライド支持部１３ａ，１３ａと、タオル掛部材１４におけるタオル掛部（後述）を突出格納する格納部１３ｂとを有している（図３、図４参照）。
前記スライド支持部１３ａ，１３ａは、前記格納部１３ｂ両端側から直交方向に延在しており、テーブル板４端部側に前記格納ケース１３を装着時、スライド支持部１３ａ，１３ａをテーブル板４長手方向に指向させると共に、前記格納部１３ｂはテーブル板４端面に沿うようにしている。
またスライド支持部１３ａには、タオル掛部材１４におけるスライド基部（後述）が移動するためのスライド部１５と、前記スライド基部のスライド距離を規制するスライド規制部１６とを設けている。
一方、前記格納部１３ｂは、タオル掛部材１４におけるタオル掛部（後述）の寸法に対応して形成した、中央寄りが深くなる枠体状に形成している。かかる格納部１３ｂの、図３中、上縁は、テーブル板４装着時において、テーブル板４外方に面する上縁側を、タオル掛部材１４におけるタオル掛部が通過可能とするように、テーブル板４裏面との間に、タオル掛部の径以上の間隔を確保するようにしている。
なお、前記格納部１３ｂの中央箇所には、前記昇降補助手段を操作するための解除操作レバー７を、テーブル板４端面外方に露出して、テーブル板４端面外方から操作可能とするための欠部１７を画成している。
【００１５】
前記タオル掛部材１４は、前記格納ケース１３に突出格納可能に屈曲加工された、適宜な素材の軸部材で構成している。もちろん、パイプ材でもよい。
すなわち、前記タオル掛部材１４は、前記格納ケース１３における一対のスライド支持部１３ａ，１３ａを進退移動する一対のスライド基部１４ａ，１４ａと、格納ケース１３における格納部１３ｂから突出格納するタオル掛部１４ｂとで構成している。そして前記スライド基部１４ａ，１４ａの末端側を屈曲させて、スライド規制部１６のスライド部１５との境面に当接させて、スライド基部１４ａ，１４ａのスライド量を規制している。
【００１６】
以上のようなオーバーベッドテーブル１において、使用に当たり、解除操作レバー７により昇降補助手段を操作して、第１脚杆８を第２脚杆９に対して進退調節して、テーブル板４の支持高さをベッド装置の床部の上にくるように調節してから、前記テーブル板４をベッドの床部上方にもたらす。
そして、ベッド上の使用者が、タオルを使うときは、テーブル板４長手方向両端側のいずれかのタオル掛手段６における格納ケース１３から、タオル掛部材１４を引っ張り出し、容易にタオル（図示省略）を手にすることができる。
なお、前記タオル掛手段６をテーブル板４幅方向端部裏面側に設けるようにすれば、一層、タオルを手に届きやすくなる。
【００１７】
この際、タオル掛部材１４におけるタオル掛部１４ｂをもって、前記格納ケース１３から、タオル掛部材１４を一対のスライド支持部１３ａ，１３ａに沿って引き出すことができる。
【００１８】
タオル掛部１４ｂをもってタオル掛部材１４を引っ張ると、タオル掛部材１４における一対のスライド基部１４ａ，１４ａが、格納ケース１３におけるスライド支持部１３ａ，１３ａのスライド部１５、スライド規制部１６を移動し、そして前記スライド基部１４ａ，１４ａの末端側が、スライド規制部１６のスライド部１５との境面に当接することで、スライド基部１４ａ，１４ａのスライド量、すなわちタオル掛部１４ｂの突出状態を規制することができ、その位置で使用者はタオル掛部１４ｂにかかったタオルを手に取ることができる。
【００１９】
【発明の効果】
本発明によれば、テーブル板を、ベッド使用者の傍らに寄せておけば、テーブル板端部裏面側の格納ケースにおけるスライド支持部に沿って、タオル掛部を手元に引き出して、タオルを容易に手にすることができ、これまでのような、ベッドサイドキャビネットにおけるタオル掛と違い、ベッド上の使用者からは手が届きやすく、ベッドから降りてタオル掛からタオルを取ったり、介護者などに頼んで取ってもらうような煩わしさを解消することができる。
【００２０】
【図面の簡単な説明】
【図１】  本発明にかかるオーバーベッドテーブル装置の、一つの実施形態を示す、外観斜視図である。
【図２】  図１に示すオーバーベッドテーブル装置のテーブル板端部側の要部拡大平面図である。
【図３】  図１に示すオーバーベッドテーブル装置に用いられたタオル掛手段の外観斜視図である。
【図４】  図３に示すタオル掛手段において、タオル掛部材を引き出した状態を示す、外観斜視図である。
【符号の説明】
１                          オーバーベッドテーブル
２                          伸縮脚
３                          テーブル板受具
４                          テーブル板
５                          伸縮同期手段
６                          タオル掛手段
７                          解除操作レバー
８                          第１脚杆
９                          第２脚杆
１０                        基部フレーム
１１                        上部プーリ
１２                        線状部材
１３                        格納ケース
１３ａ                      スライド支持部
１３ｂ                      格納部
１４                        タオル掛部材
１４ａ                      スライド基部
１４ｂ                      タオル掛部
１５                        スライド部
１６                        スライド規制部
Ｃ                          キャスタ
【図１】
0003707689.tif 000002
【図２】
0003707689.tif 000003
【図３】
0003707689.tif 000004
【図４】
0003707689.tif 000005